(57)【要約】【課題】物品を収納した箱を安定した状態で運搬するために、箱に取り付ける提げ手を提供する。【解決手段】物品を収納して運搬する箱Ｂに取り付ける提げ手１は、環状のベルト１１と、箱Ｂの底部Ｂｃ及び対向する２つの側部Ｂａ，Ｂｂのそれぞれに貼付する３枚の取付シート１２ａ，１２ｂ、１２ｃからなる。各取付シートの両短辺寄りにはベルト１１を通すための一対のベルト通し穴がそれぞれ設けられ、側部Ｂａ、Ｂｂに貼付する取付シート１２ａ、１２ｂはベルト１１の任意の位置に配置可能である。【選択図】図１
0003202149.tif 000002
【実用新案登録請求の範囲】
【請求項１】
物品を収納して運搬する箱に取り付ける提げ手であって、
環状にして使用されるベルトと、
前記箱の底部及び対向する２つの側部のそれぞれに貼付する３枚の取付シートからなり、
前記の各取付シートの両短辺側近くには、前記ベルトを通すための一対のベルト通し穴がそれぞれ設けられ、
前記側部に貼付する取付シートは前記ベルトの任意の位置に配置可能である
ことを特徴とする提げ手。
【請求項２】
前記ベルト通し穴はスリット状であって、その長さは前記ベルトの幅の２倍前後であることを特徴とする請求項１に記載の提げ手。
【考案の詳細な説明】
【技術分野】
【０００１】
物品を収納した箱を運搬する際に箱に取り付ける提げ手に関する。
【背景技術】
【０００２】
ビールやカップラーメンなどの飲料・食料品、スポーツ用具類、屋外活動へ行く時に
準備する道具・雑貨、例えばこれらを運搬する時には段ボール等の箱が用いられる。
しかし、内部にこれらの物品が入った箱を両手で抱えて運ぶのは疲れるし、落下させて収納物を破損させる恐れがある。
そのため、箱を運搬する際に用いる提げ手がいろいろと考案されている。
【０００３】
特許文献１には、収納箱の対向する両側面にそれぞれ貼付する１対のシート状取付片間に、把手となる２本の帯紐状部材をクロスさせて取り付ける「提げ手およびその製造方法」が開示されている。
特許文献２には、箱の周囲に巻回する複数本のベルトの両端部に把手を取り付けるとともにベルトの中間部に箱の底部を支承する底板を取り付けた「飲料缶等の収納箱の提げ手」が開示されている。
特許文献３には、環状の支持紐の両端部に二重の掛止部を設けた「持ち運び紐」が開示されている。
特許文献４には、箱本体の側面にひも通し穴を設け、吊り下げ紐がひも通し穴を貫通し、箱本体上部だけでなく、箱本体下部を周回する「運送用吊り下げ箱」が開示されている。
【先行技術文献】
【特許文献】
【０００４】
【特許文献１】特開平１１−２０８６７３号公報
【特許文献２】特開平１０−１４７３６３号公報
【特許文献３】特開２００４−１１５０４３号公報
【特許文献４】特開平１１−２６３３４６号公報
【考案の概要】
【考案が解決しようとする課題】
【０００５】
特許文献１に記載された提げ手は、箱に簡単に取り付けることができ、しかも取付の位置決めが容易である。しかし、重量のある物品を収納した箱を長時間手に提げて運ぶと重みのためにシート状取付片が箱から剥がれて箱が落下する心配がある。接着力が十分に強ければ実際には問題は無いとしても、見た目の安心感に欠ける。
特許文献２に記載された提げ手を用いると、安定した状態で収納箱を運搬できる。しかし、収納箱にはさまざまなサイズがあって、それに合わせてベルト同士の間隔や把手の位置を調整できることが望ましい。しかし、この先行発明はこのような自由度に乏しく、従って利便性に欠ける。本用途のように手軽さが重要なツールにとって、これは問題である。
特許文献３に記載された持ち運び紐は、箱の下端の両角部に両掛止部を引っ掛けるようにしつつ、支持紐を上方に持ち上げて使用するものである。しかし、掛止部の片方でも角部にしっかりと引っ掛かっていなければ、運搬中に箱が傾いて落下したりする恐れがある。やはり、利用者の不安は消えないのである。
特許文献４に記載された吊り下げ箱は、蓋のない箱専用であって、箱本体にひも通し穴を開けることから、一般的な箱類の運搬用には適さない。
【０００６】
本考案は、上記の問題点に鑑み、箱への取付が簡単で、運搬中の落下の恐れがなく、しかも様々なサイズの箱にも使用可能な提げ手を提供することを目的とする。
【課題を解決するための手段】
【０００７】
上記の目的を達成するために、本考案の提げ手は、
物品を収納して運搬する箱に取り付ける提げ手であって、
環状にして使用されるベルトと、
前記箱の底部及び対向する２つの側部のそれぞれに貼付する３枚の取付シートからなり、
前記の各取付シートの両短辺側近くには、前記ベルトを通すための一対のベルト通し穴がそれぞれ設けられ、
前記側部に貼付する取付シートは前記ベルトの任意の位置に配置可能である
ことを特徴とする。
ベルトを箱に巻くだけでなく、底部と一対の側部に貼付した取付シートでベルトを押さえるので、ベルトが緩んだり箱から外れたりせずに確実に箱に固定される。
【０００８】
前記ベルト通し穴はスリット状であって、その長さは前記ベルトの幅の２倍前後であることが好ましい。
これにより、箱に平行して巻きつけるベルト同士の間隔を、収納箱の大きさにあわせて適宜調整できる。
【考案の効果】
【０００９】
本考案の提げ手は、製造コストも安価で且つ手軽に利用することができる。また、例えばボトルや缶に入った飲料など、重量のある物品も安全に持ち運ぶことができる。さらに、箱の側面に貼り付ける取付シートの位置を調整できるので、いろいろな大きさの箱に対応できる。
【図面の簡単な説明】
【００１０】
【図１】実施の形態の提げ手の使用状態を示す斜視図である。
【図２】実施の形態の提げ手を構成するベルトの正面図である。
【図３】実施の形態の提げ手を構成する取付シートの（１）は正面図、（２）は背面図、（３）は（１）のＰ−Ｐ線における断面図、（４）は（１）のＱ−Ｑ線における断面図である。
【図４】実施の形態の（１）は提げ手の取付シートにベルトを挿通した状態を示す図、（２）は（１）のＲ−Ｒ線における部分断面図である。
【図５】実施の形態の提げ手の（１）は正面図、（２）は背面図である。
【図６】実施の形態の提げ手のベルトと取付シートの位置関係を説明する図である。
【図７】実施の形態の取付シートを箱の底部に貼付した状態を示す図である。
【図８】図７のＳ−Ｓ線における部分断面図であって、実施の形態の提げ手を箱の表面に取り付ける状態を説明する図である。
【考案を実施するための形態】
【００１１】
以下、図面を参照しながら本考案の実施の形態の提げ手について説明する。
【００１２】
本考案の提げ手１は、物品を収納した箱Ｂを運搬する際に用いるものである。箱Ｂは、底部Ｂｃと底部に垂直な長辺側の側部Ｂａ，Ｂｂ、短辺側の側部Ｂｄ，Ｂｅからなる。上部は開口していてもよい。
提げ手１は、図１に示すように、箱Ｂの一方の側部Ｂａから底部Ｂｃを経て対向する側部Ｂｂに二重に掛け渡すベルト１１と、箱Ｂの側部Ｂａ，Ｂｂに取り付ける側部用の取付シート１２ａ、１２ｂ、及び底部Ｂｃ用の取付シート１２ｃから構成される。
【００１３】
ベルト１１は、材質として合成樹脂や布を用い、断面形状は平たい帯状であって、図２に示すように適宜の箇所１１Ｐで端部同士を接続させて環状にする。２本の平行な直線状部分１１ａ，１１ｂの端部同士が湾曲した把手１１ｃ、１１ｄを形成する。
【００１４】
取付シート１２ａ、１２ｂ、１２ｃ（特に区別をしないときは「取付シート１２」と記載する。）は、箱Ｂの表面に貼付されベルト１１を箱Ｂに固定するものである。
図３（１）は取付シート１２の正面図、（２）は背面図、（３）は（１）のＰ−Ｐ線における断面図、（４）は（１）のＱ−Ｑ線における断面図である。これらの図に示すように、取付シート１２は表面シート１２１の裏面に接着剤が塗布された接着剤層１２２を設け、この接着剤層１２２に剥離紙１２３を積層して構成される。表面シート１２１には、水に濡れても剥がれたり破けたりしない材質、例えば合成樹脂が適当である。
取付シート１２はベルト１１に平行な辺が短い長方形状であり、両短辺側近くには、ベルト１１を通すための一対のベルト通し穴（１２４ａと１２４ｂの対及び１２４ｃと１２４ｄの対。特に区別しないときは「ベルト通し穴１２４」と記載する。）がそれぞれ設けられている。
ベルト通し穴１２４は、スリット状の穴であり、スリットの長さＬはベルト１１の幅の２倍前後であることが好ましい。なお、図３の（４）では、説明の便宜上ベルト通し穴１２４を誇張して描いている（図４の（２）、図８も同様である）。
提げ手１の使用時には、ベルト１１が貫通した状態で剥離紙１２３を剥がすので、ベルト通し穴１２４のスリットを含む辺で３枚の剥離紙１２３ａ、１２３ｂ、１２３ｃに予め分けておくとよい。
【００１５】
提げ手１は、３枚の取付シート１２のそれぞれにベルト１１が挿通した状態で販売され、使用される。図４の（１）及び（２）に示すように、取付シート１２の裏面（剥離紙１２３）側からベルト１１の直線状部分１１ａをベルト通し穴１２４ａに挿入して、表面１２１側に引き出す。続いて、対をなすベルト通し穴１２４ｂに挿入して再び裏面１２３側に引き出す。
直線状部分１１ｂも同様にして、ベルト通し穴１２４ｃと１２４ｄを通して裏側から表側に引き出し、再び裏側に引き出す。ここで、ベルト１１の直線状部分１１ａと１１ｂは互いに平行になるように注意する。
３枚の取付シート１２にベルト１１を通した状態の提げ手１の平面図を図５（１）に、背面図を図５（２）に示す。
【００１６】
次に、提げ手１の使用について説明する。
図６（１）に示すように、箱Ｂの側部Ｂａ、Ｂｂの上端寄りに側部用の取付シート１２ａ、１２ｂが位置するように、取付シート１２ａ、１２ｂをベルト１１上の適当な位置に移動させる。なお、図６（２）は、図６（１）よりも底面からの高さのある箱に使用するときの取付シート１２の位置を示す図である。
続いて、図７に示すように、底部用の取付シート１２ｃを箱Ｂの底部Ｂｃに貼り付ける。ここで、取付シート１２ｃの中心と底部Ｂｃの中心は一致させ、且つ底部Ｂｃと取付シート１２ｃとは傾きがないように自然に配置するように注意する。
【００１７】
底部Ｂｃに取付シート１２ｃを貼り付けるために、剥離紙１２３を剥がす。このときの提げ手１の状態を図８に示す。これは図７のＳ−Ｓ線における部分断面図である。
使用前の提げ手１はベルト１１と取付シート１２とは接着していないので、取付シート１２の位置を自由に調整できる。しかし、使用時は剥離紙１２３ａ、１２３ｃを剥がしたことにより、ベルト１１は図８の一点鎖線で囲み示した箇所で取付シート１２ｃに接着し固定する。同時に剥離紙１２３ｂを剥がしたことにより、取付シート１２ｃは図８の矢印で示すように箱Ｂの底部Ｂｃの表面に接着し固定する。
【００１８】
このように底部Ｂｃに提げ手１を固定したならば、把手１１ｃを持って提げ手１を側部Ｂａにそって立ち上げ、取付シート１２ａを側部Ｂａの上端部付近に貼り付ける（図１参照）。取付シート１２ａの貼り付け方は、図８に示す取付シート１２ｃと同様である。
取付シート１２ｂも取付シート１２ａと同様に側部Ｂｂに貼り付ける。
【００１９】
以上の作業だけで箱Ｂに提げ手１を取付けることができる。側部Ｂａ，Ｂｂから上方に突出した把手１１ｃ、１１ｄを揃えて持ち、箱Ｂを運搬すればよい。側部Ｂａ，Ｂｂだけでなく底部Ｂｃも取付シート１２によって提げ手１が固定されているので、運搬中にベルト１１が緩んで箱Ｂが傾いたり箱Ｂからベルト１１が外れて収納物ごと箱Ｂが落下したりするような恐れはない。したがって、常に安定した状態で運搬できる。
なお図７に示すように、取付シート１２ｃを、底部Ｂｃの中央の位置に且つ傾きがないように取り付けていれば、自然に把手１１ｃと１１ｄの位置が一致し、持ちやすい。また、箱Ｂに掛け渡されるベルト１１の２つの直線状部分は平行なので、運搬時に箱Ｂが傾く恐れがなく安心である。
【００２０】
本考案の提げ手１の利点は、取付シート１２ａ，１２ｂの位置を自由に調整できる点にある。
図６（２）のように高さが大きい箱の場合は、側部用の取付シート１２ａ，１２ｂをそれぞれの把手１１ｃ、１１ｄ寄りに移動させ、箱Ｂの側部Ｂａ、Ｂｂの上端部付近に取付シート１２ａ，１２ｂを貼り付けるようにする。
【００２１】
本考案の提げ手１には、箱Ｂに二重に巻かれているベルト１１同士の間隔を自由に調整できるという利点もある。
側部が細長い箱の場合には、平行に掛け渡しているベルト１１の直線状部分１１ａ，１１ｂ同士の間隔を広く取らないと運搬中に傾いたりして支障をきたす。これを防ぐためには、ベルト１１を取付シート１２の短辺側に寄せて通すようにすれば良い（図６の（３）を参照）。二重に巻かれたベルト１１同士の間隔が広くなるので、箱Ｂを安定した状態で持つことができる。ベルト通し穴１２４のスリットの長さはベルト１１の幅よりも大きくとってあるから、これが可能なのである。
【００２２】
上記の実施の形態は本考案の提げ手の例示にすぎない。
上記の実施の形態では、箱の長辺側の側部に取付シートを貼付していたが、短辺側の側部に貼付してもかまわない。
また、円筒状の箱に使用することもできる。さらに、箱だけでなく、把手の付いていない袋類にも本考案の提げ手を使用することができる。
【産業上の利用可能性】
【００２３】
顧客が購入した商品を箱に入れて家に持ち帰ってもらったり、購入者の自宅に配達したりする小売店での需要が期待できる。また、スポーツや野外活動へ道具や雑貨を箱に入れて持っていくとき等にも便利なグッズとして家庭や学校での需要も期待できる。
【符号の説明】
【００２４】
１： 提げ手
１１：ベルト
１２（１２ａ、１２ｂ、１２ｃ）：取付シート
１２４（１２４ａ、１２４ｂ、１２４ｃ、１２４ｄ）：ベルト通し穴
Ｂ：収納箱
Ｂａ，Ｂｂ：側部、Ｂｃ：底部
【図１】
0003202149.tif 000003
【図２】
0003202149.tif 000004
【図３】
0003202149.tif 000005
【図４】
0003202149.tif 000006
【図５】
0003202149.tif 000007
【図６】
0003202149.tif 000008
【図７】
0003202149.tif 000009
【図８】
0003202149.tif 000010